(57)【要約】【課題】無線基地局やネットワーク装置等での障害発生時に生じるシステム特性の劣化を抑制できる無線通信システム、無線局、ネットワーク運用管理装置およびネットワーク修復方法を提供する。【解決手段】複数の無線局（１０，２０）と無線局を管理するネットワーク運用管理装置（３０）とを有しネットワーク最適化を行う無線通信システムであって、障害が発生した第１の無線局（１０）、当該第１の無線局とは別の第２の無線局（２０）およびネットワーク運用管理装置（３０）の少なくとも１つが前記障害に関するアラーム情報を送信する。【選択図】図４
2013136813.tif 000002
【特許請求の範囲】
【請求項１】
複数の無線局と前記無線局を管理するネットワーク運用管理装置とを有し、ネットワーク最適化を行う無線通信システムであって、
障害が発生した第１の無線局、当該第１の無線局とは別の第２の無線局および前記ネットワーク運用管理装置の少なくとも１つが、前記障害に関するアラーム情報を送信する、ことを特徴とする無線通信システム。
【請求項２】
前記アラーム情報が、
・前記第１の無線局のセルにおけるカバレッジ問題に関連するセルアウテージ情報、
・前記第１の無線局の無線信号制御における障害に関連する無線障害情報、
・前記第１の無線局のセルと前記第２の無線局のセルとの間の干渉に関連するセル間干渉情報、
のいずれかであることを特徴とする請求項１に記載の無線通信システム。
【請求項３】
前記セルアウテージ情報が、
・カバレッジ問題の発生を示す情報、
・カバレッジ問題の可能性を示す情報、
・カバレッジ問題の有無の確認を依頼する情報、
・カバレッジ問題を疑う情報、
・カバレッジ問題が解決したことを示す情報、
の少なくとも１つを含む請求項２に記載の無線通信システム。
【請求項４】
前記セルアウテージ情報が、
・セル又は無線局の識別子、
・前記第１の無線局の位置情報、
・当該セルアウテージ情報を送信する側の実行予定の処理の情報、
・当該セルアウテージ情報を受信した側に要求する処理の情報、
の少なくとも１つを含むことを特徴とする請求項２または３に記載の無線通信システム。
【請求項５】
前記無線障害情報が、
・無線信号の送受信端（ＲＦ）の故障を示す情報、
・無線信号の送受信端（ＲＦ）の故障の疑いを示す情報、
・無線信号の送信部の故障を示す情報、
・無線信号の受信部の故障を示す情報、
の少なくとも１つを含むことを特徴とする請求項２−４のいずれか１項に記載の無線通信システム。
【請求項６】
前記セル間干渉情報が、
・前記第１のセルと前記第２のセルの干渉度合いを示す情報、
・前記第１のセルにおける前記第２のセルの信号の干渉を示す情報、
・前記第２のセルにおける前記第１のセルの信号の干渉を示す情報、
の少なくとも１つを含むことを特徴とする請求項２−５のいずれか１項に記載の無線通信システム。
【請求項７】
前記ネットワーク運用管理装置が前記障害を検出し、前記アラーム情報を前記第１の無線局、前記第２の無線局、他のネットワーク運用管理装置の少なくとも１つへ通知することを特徴とする請求項１−６のいずれか１項に記載の無線通信システム。
【請求項８】
前記第１の無線局が前記障害を検出し、前記アラーム情報を前記第２の無線局、前記ネットワーク運用管理装置の少なくとも１つへ通知することを特徴とする請求項１−６のいずれか１項に記載の無線通信システム。
【請求項９】
前記障害を検出した第３の無線局が、前記アラーム情報を前記第１の無線局、前記第２の無線局、前記ネットワーク運用管理装置の少なくとも１つへ通知することを特徴とする請求項１−６のいずれか１項に記載の無線通信システム。
【請求項１０】
前記アラーム情報を受けた前記第２の無線局または前記ネットワーク運用管理装置がネットワーク最適化を行うことを特徴とする請求項１−９のいずれか１項に記載の無線通信システム。
【請求項１１】
前記アラーム情報を受けた前記第２の無線局または前記ネットワーク運用管理装置が前記第１の無線局に所定の自己回復動作の実行の指示を行うことを特徴とする請求項１−１０のいずれか１項に記載の無線通信システム。
【請求項１２】
前記無線局が無線基地局、基地局制御局、ネットワーク装置のいずれかであることを特徴とする請求項１−１１のいずれか１項に記載の無線通信システム。
【請求項１３】
複数の無線局からなるネットワークの最適化を行う無線通信システムにおけるネットワーク運用管理装置であって、
障害が発生した第１の無線局、当該第１の無線局とは別の第２の無線局、他のネットワーク運用管理装置の少なくとも１つと、前記障害に関するアラーム情報を通信する通信手段を有することを特徴とするネットワーク運用管理装置。
【請求項１４】
前記第１の無線局における障害を検出する障害検出手段をさらに有する、ことを特徴とする請求項１３に記載のネットワーク運用管理装置。
【請求項１５】
前記通信手段は、前記障害に関するアラーム情報を生成し、
前記第１の無線局、前記第１の無線局とは別の第２の無線局、他のネットワーク運用管理装置の少なくとも１つへ送信する、ことを特徴とする請求項１３または１４に記載のネットワーク運用管理装置。
【請求項１６】
ネットワークの最適化を行う最適化制御手段を更に有することを特徴とする請求項１３−１５のいずれか１項に記載のネットワーク運用管理装置。
【請求項１７】
前記アラーム情報が、
・前記第１の無線局のセルにおけるカバレッジ問題に関連するセルアウテージ情報、
・前記第１の無線局の無線信号制御における障害に関連する無線障害情報、
・前記第１の無線局のセルと前記第２の無線局のセルとの間の干渉に関連するセル間干渉情報、
のいずれかであることを特徴とする請求項１３−１６のいずれか１項に記載のネットワーク運用管理装置。
【請求項１８】
複数の無線局と前記無線局を管理するネットワーク運用管理装置とを有しネットワーク最適化を行う無線通信システムにおける無線局であって、
自無線局あるいは自無線局とは別の第１の無線局における障害の発生、又は当該障害の疑いを検出する障害検出手段と、
前記障害に関するアラーム情報を送信する通信手段と、
を有することを特徴とする無線局。
【請求項１９】
前記通信手段は、前記障害に関するアラーム情報を前記第１の無線局、前記第１の無線局とは別の第２の無線局、前記ネットワーク運用管理装置の少なくとも１つへ送信する、ことを特徴とする請求項１８に記載の無線局。
【請求項２０】
前記アラーム情報が、
・無線局のセルにおけるカバレッジ問題に関連するセルアウテージ情報、
・無線局の無線信号制御における障害に関連する無線障害情報、
・第１の無線局のセルと前記第２の無線局のセルとの間の干渉に関連するセル間干渉情報、
のいずれかであることを特徴とする請求項１８または１９に記載の無線局。
【請求項２１】
複数の無線局と前記無線局を管理するネットワーク運用管理装置とを有しネットワーク最適化を行う無線通信システムにおける無線局であって、
自無線局あるいは自無線局とは別の第１の無線局における障害に関するアラーム情報を受信する通信手段、
を有することを特徴とする無線局。
【請求項２２】
自無線局あるいは前記第１の無線局で障害が発生したことを検出する障害検出手段を更に有し、前記通信手段により前記障害に関するアラーム情報を前記第１の無線局、前記第１の無線局とは別の第２の無線局、前記ネットワーク運用管理装置の少なくとも１つへ送信する、ことを特徴とする請求項２１に記載の無線局。
【請求項２３】
前記アラーム情報が、
・無線局のセルにおけるカバレッジ問題に関連するセルアウテージ情報、
・無線局の無線信号制御における障害に関連する無線障害情報、
・第１の無線局のセルと前記第２の無線局のセルとの間の干渉に関連するセル間干渉情報、
のいずれかであることを特徴とする請求項２１または２２に記載の無線局。
【請求項２４】
前記アラーム情報を受信すると、前記アラーム情報が示す前記障害に応じて自無線局のセルを制御する制御手段を更に有する、ことを特徴とする請求項２１−２３のいずれか１項に記載の無線局。
【請求項２５】
複数の無線局と前記無線局を管理するネットワーク運用管理装置とを有し、ネットワーク最適化を行う無線通信システムにおけるネットワーク修復方法であって、
障害が発生した第１の無線局、当該第１の無線局とは別の第２の無線局、前記ネットワーク運用管理装置の少なくとも１つが、前記障害に関するアラーム情報を送信する、ことを特徴とするネットワーク修復方法。
【請求項２６】
前記アラーム情報が、
・前記第１の無線局のセルにおけるカバレッジ問題に関連するセルアウテージ情報、
・前記第１の無線局の無線信号制御における障害に関連する無線障害情報、
・前記第１の無線局のセルと前記第２の無線局のセルとの間の干渉に関連するセル間干渉情報、
のいずれかであることを特徴とする請求項２５に記載のネットワーク修復方法。
【請求項２７】
前記ネットワーク運用管理装置が前記障害を検出し、前記アラーム情報を前記第１の無線局、前記第２の無線局、他のネットワーク運用管理装置の少なくとも１つへ通知することを特徴とする請求項２５または２６に記載のネットワーク修復方法。
【請求項２８】
前記第１の無線局が前記障害を検出し、前記アラーム情報を前記第２の無線局、前記ネットワーク運用管理装置の少なくとも１つへ通知することを特徴とする請求項２５または２６に記載のネットワーク修復方法。
【請求項２９】
前記障害を検出した第３の無線局が、前記アラーム情報を前記第１の無線局、前記第２の無線局、前記ネットワーク運用管理装置の少なくとも１つへ通知することを特徴とする請求項２５または２６に記載のネットワーク修復方法。
【請求項３０】
前記アラーム情報を受けた前記第２の無線局または前記ネットワーク運用管理装置が、ネットワーク最適化を行うことを特徴とする請求項２５−２９のいずれか１項に記載のネットワーク修復方法。
【請求項３１】
前記アラーム情報を受けた前記第２の無線局または前記ネットワーク運用管理装置が、前記第１の無線局に所定の自己回復動作の実行の指示を行うことを特徴とする請求項２５−２９のいずれか１項に記載のネットワーク修復方法。
【発明の詳細な説明】
【技術分野】
【０００１】
本発明は無線通信システムに係り、特にネットワーク最適化を行う機能を有する無線局、ネットワーク運用管理装置および無線通信システム、並びにネットワーク修復方法に関する。
【背景技術】
【０００２】
近年、オペレーションコスト（ＯＰＥＸ）削減の観点などから、セルラシステムなどの無線通信システムにおける無線パラメータやネットワーク設定の最適化を自律的に行うＳＯＮ（Self Organizing Network）の検討が盛んに行われている。３ＧＰＰ  ＬＴＥ（Long Term Evolution）においてもＳＯＮ機能の標準化が行われている（非特許文献１）。【０００３】
ＳＯＮには、
・自己構成（Self-Configuration）
・自己最適化（Self-Optimization）
・自己修復（Self-Healing）
などの機能があり、それぞれ異なった目的を達成するための技術である。この中で自己修復機能は、無線基地局やネットワーク運用管理装置が自律的に故障管理（Fault management）を行う機能であり、例えばネットワーク装置における故障などの問題を検出し、当該故障を自律的に修復することを目的としている（非特許文献２）。【０００４】
以下、３ＧＰＰ  ＬＴＥの無線通信システムを一例として自己修復機能について簡単に説明する。なお、無線基地局（enhanced Node B）はｅＮＢと略記する。【０００５】
図１において、ｅＮＢ１およびｅＮＢ２がセル１（Cell1）およびセル２（Cell2）をそれぞれ管理し、さらに、これらｅＮＢ１およびｅＮＢ２をネットワーク運用管理装置（Operation and Management: OAM、以下、Ｏ＆Ｍと記す。）が管理しているものとする。Ｏ＆Ｍは、ＳＯＮの機能を持つ場合、ＳＯＮサーバ(SON server)とも呼ぶ。尚、自己修復機能における問題の検出(Problem detection)及び修復(Self recovery)の詳細は非特許文献２の方法を用いるものとし、詳細を省略する。【０００６】
図１に示すように、ｅＮＢ１およびｅＮＢ２は、ネットワーク性能監視の為に、ネットワーク性能に関連するサービス品質の測定結果やサービス品質に関する情報をネットワーク測定情報としてＯ＆Ｍへ定期的に報告しているものとする（Measurement reporting for Performance Monitoring(PM)）。当該報告を基に、Ｏ＆Ｍ(SON server)は、ｅＮＢ１やｅＮＢ２などのネットワーク装置に問題がないか否かを監視する。ある時点で、ｅＮＢ１において、例えば無線送受信部（Radio Frequency: RF）に不具合が発生したとする(Occurrence of fault)。この場合、ｅＮＢ１はこのときの測定情報をＯ＆Ｍに報告する。Ｏ＆Ｍは、当該測定情報を基に、ｅＮＢ１に何らかの問題を生じたことを検出する(Problem detection)。例えば当該測定情報にて示されるサービス品質の値が急激に劣化したことを認識して障害を検出する（詳細は省略）。Ｏ＆Ｍは、ｅＮＢ１に対して、例えば再起動などの自動復旧の指示を出す（Indication of self recovery activation）。ｅＮＢ１は、当該指示に従って、再起動などの自動復旧を実行する（Self recovery）。そして、自動復旧が完了すると、ｅＮＢ１は完了通知をＯ＆Ｍに送信する（Indication of self recovery completion）。【０００７】
このようにして、ｅＮＢやネットワーク装置において問題が生じた場合、Ｏ＆Ｍ(SON server)は当該問題を検出し、対象となるｅＮＢやネットワーク装置へ自動復旧の指示を行う。この自動復旧指示に従って、当該ｅＮＢやネットワーク装置は自動復旧を行い、これにより無線ネットワークシステムにおける自己修復を実現することができる。なお、上述の自己修復機能は、ネットワーク運用管理装置に搭載されている代わりに、無線基地局やネットワーク装置自体に搭載されている場合も考えられる。
【先行技術文献】
【非特許文献】
【０００８】
【非特許文献１】３ＧＰＰ  ＴＳ３６．３００ｖ１０．５．０、  ｓｅｃｔｉｏｎ  ２２（インターネット＜ＵＲＬ＞ｈｔｔｐ：ｗｗｗ．３ｇｐｐ．ｏｒｇ／ｆｔｐ／Ｓｐｅｃｓ／ｈｔｍｌ−ｉｎｆｏ／３６３００．ｈｔｍ）
【非特許文献２】３ＧＰＰ  ＴＳ３２．５４１ｖ１０．０．０（インターネット＜ＵＲＬ＞ｈｔｔｐ：ｗｗｗ．３ｇｐｐ．ｏｒｇ／ｆｔｐ／Ｓｐｅｃｓ／ｈｔｍｌ−ｉｎｆｏ／３２５４１．ｈｔｍ）
【発明の概要】
【発明が解決しようとする課題】
【０００９】
上述したように、自己修復（Self-healing）機能は、障害が発生した無線基地局やネットワーク装置とネットワーク運用管理装置（又はＳＯＮサーバ）との間で信号やメッセージを送受信することで実現される。したがって、障害に絡む無線局とネットワーク運用管理装置との間の制御だけで自己修復機能が起動し完了することとなり、障害が発生した無線基地局の周辺にある無線基地局や周辺セルにどのような影響を与えるかについては考慮されない。これはマルチベンダ環境において特に問題となる。【００１０】
マルチベンダ環境とは、無線基地局、ネットワーク装置およびネットワーク運用管理装置が１つのベンダにより提供されるのではなく、複数の異なるベンダにより提供された環境をいう。したがって、マルチベンダ環境では、障害が発生した無線基地局のベンダとその周辺無線基地局のベンダとが異なる場合があり、周辺の無線基地局が当該障害を認識できないことがある。たとえば、障害が発生した無線基地局のセルが縮退した場合、周辺の無線基地局はその縮退を正確に検知することが困難（或は、不可能）である。周辺の無線基地局がセルの縮退を認識できずに通常の動作を続行した場合には、障害が発生した無線基地局のセルにより元々カバーされていたエリアの一部または全部が通信圏外エリア（不感地とも呼ぶ）になる可能性がある。このような通信圏外エリアの増加は、システムのキャパシティ減少を招来し、システム全体の特性を大きく劣化させる。実運用においてマルチベンダ環境が一般的であることを考慮すれば、障害が発生した無線基地局の周辺にある無線基地局が当該障害の影響を認識できない事態は、解決すべき重要な課題である。【００１１】
さらに、自己修復（Self-healing）機能は全てのネットワーク運用管理装置（又は、無線基地局やネットワーク装置）に搭載されているとは限らない。また、搭載されていても全ての問題が解決できるとは限らない。例えば、問題を検出する機能部自体が故障しては、問題を検出すること自体ができない。従って、自己修復機能の代わりに（あるいはそれに加えて）、自己修復を補助する機能が必要となる。この自己修復補助機能も、上述したようにマルチベンダ環境で実現される必要があると考えられる。【００１２】
そこで、本発明の目的は、無線基地局やネットワーク装置等での障害発生時に生じるシステム特性の劣化を抑制できる無線通信システム、無線局、ネットワーク運用管理装置およびネットワーク修復方法を提供することにある。
【課題を解決するための手段】
【００１３】
本発明による無線通信システムは、複数の無線局と前記無線局を管理するネットワーク運用管理装置とを有し、ネットワーク最適化を行う無線通信システムであって、障害が発生した第１の無線局、当該第１の無線局とは別の第２の無線局および前記ネットワーク運用管理装置の少なくとも１つが、前記障害に関するアラーム情報を送信する、ことを特徴とする。【００１４】
本発明によるネットワーク運用管理装置は、複数の無線局からなるネットワークの最適化を行う無線通信システムにおけるネットワーク運用管理装置であって、障害が発生した第１の無線局、当該第１の無線局とは別の第２の無線局、他のネットワーク運用管理装置の少なくとも１つと、前記障害に関するアラーム情報を通信する通信手段を有することを特徴とする。【００１５】
本発明による無線局は、複数の無線局と前記無線局を管理するネットワーク運用管理装置とを有しネットワーク最適化を行う無線通信システムにおける無線局であって、
自無線局あるいは自無線局とは別の第１の無線局における障害の発生、又は当該障害の疑いを検出する障害検出手段と、前記障害に関するアラーム情報を送信する通信手段と、を有することを特徴とする。
また、本発明による無線局は、複数の無線局と前記無線局を管理するネットワーク運用管理装置とを有しネットワーク最適化を行う無線通信システムにおける無線局であって、自無線局あるいは自無線局とは別の第１の無線局における障害に関するアラーム情報を受信する通信手段、を有することを特徴とする。【００１６】
本発明によるネットワーク修復方法は、複数の無線局と前記無線局を管理するネットワーク運用管理装置とを有し、ネットワーク最適化を行う無線通信システムにおけるネットワーク修復方法であって、障害が発生した第１の無線局、当該第１の無線局とは別の第２の無線局、前記ネットワーク運用管理装置の少なくとも１つが、前記障害に関するアラーム情報を送信する、ことを特徴とする。
【発明の効果】
【００１７】
本発明によれば、無線基地局やネットワーク装置等での障害発生時に生じるシステム特性の劣化を抑制できる。
【図面の簡単な説明】
【００１８】
【図１】図１は既存の無線通信システムにおける自己復旧起動動作の一例を示すシーケンス図である。
【図２】図２は本発明による無線通信ステムの概略を説明するためのシステム構成図である。
【図３】図３は本発明の第１実施形態による無線通信システムにおける無線局およびネットワーク運用管理装置の機能的構成を示すブロック図である。
【図４】図４は本発明の第１実施形態による無線通信システムの動作例を示すシーケンス図である。
【図５】図５は本発明の第２実施形態による無線通信システムにおける無線局およびネットワーク運用管理装置の機能的構成を示すブロック図である。
【図６】図６は本発明の第２実施形態による無線通信システムの第１動作例を示すシーケンス図である。
【図７】図７は本発明の第２実施形態による無線通信システムの第２動作例を示すシーケンス図である。
【図８】図８は本発明の第２実施形態による無線通信システムの第３動作例を示すシーケンス図である。
【図９】図９は本発明の第２実施形態による無線通信システムの第４動作例を示すシーケンス図である。
【図１０】図１０は本発明による無線通信システムの一例である３ＧＰＰ  ＬＴＥシステムの概略を説明するためのシステム構成図である。
【図１１】図１１は本発明の第１実施例による無線通信システムの動作を説明するためのシステム構成図である。
【図１２】図１２は本発明の第２実施例による無線通信システムの動作を説明するためのシステム構成図である。
【図１３】図１３は本発明の第３実施例による無線通信システムの動作を説明するためのシステム構成図である。
【発明を実施するための形態】
【００１９】
１．実施形態の概略
本発明の実施形態によれば、ネットワーク運用管理装置により管理される複数の無線局を有しネットワーク最適化を自律的に行う無線通信システムにおいて、ある無線局の障害に関するアラーム情報が当該無線局、その周辺にある無線局およびネットワーク運用管理装置の少なくとも１つから送信される。アラーム情報を受け取ることで、無線局はアラーム情報に応じた適切な制御を行うことが可能となり、システム全体としての特性劣化を抑制することができる。すなわち、第１の無線局における障害に関連するアラーム情報を、第１の無線局、第１の無線局の周辺の第２の無線局、ネットワーク運用管理装置のいずれかの間で通信する。そして、当該アラーム情報を受けた無線局又はネットワーク運用管理装置がネットワーク最適化を行ったり、当該障害への対策として予め規定した自己回復動作（例えば装置の再起動）を第１の無線局が行ったり、自己回復動作の実行を第１の無線局に対して指示したりする。以下、本実施形態で用いられる用語のうち「障害」および「アラーム情報」について説明する。
【００２０】
１．１）「障害」
「障害」とは、無線局の内部装置あるいはセルが要求されるレベルで機能しない事態をいう。具体的には、無線局の内部装置における故障、無線局の送受信端における故障、無線局が管理するセルにおけるカバレッジ縮退や消失などのトラブルを含むが、これらに限定されるものではなく、いわゆる非正常状態や非正常状況に陥っていること、すなわち異常全般を含む概念である。
【００２１】
１．２）「アラーム情報」
「アラーム情報」とは、上述した障害を検出したことを示す情報をいう。例えば、
ａ）第１の無線局の第１のセルにおけるカバレッジ問題に関連するセルアウテージ(Cell outage)情報、
ｂ）第１の無線局の無線信号制御における障害に関連する無線障害情報、
ｃ）第１の無線局の第１のセルと第２の無線局の第２のセルとの間の干渉に関連するセル間干渉情報、
などが考えられる。以下、これらのアラーム情報について順に説明する。
【００２２】
ａ）「セルアウテージ情報」としては、例えば、
ａ１）カバレッジ問題の発生を示す情報、
ａ２）カバレッジ問題の可能性を示す情報、
ａ３）カバレッジ問題の有無の確認を依頼する情報、
ａ４）カバレッジ問題を疑う情報、
ａ５）カバレッジ問題が解決したことを示す情報、
などが考えられる。
【００２３】
ａ１）「カバレッジ問題の発生を示す情報」の利用方法としては、例えば第１の無線局が当該情報を第２の無線局やネットワーク運用管理装置へ送信し、第２の無線局が当該情報を考慮して自局の第２のセルの最適化を行ったり、ネットワーク運用管理装置が第１の無線局へ自己回復動作（例えば、装置の再起動）の実行の指示を行ったりする。或は、ネットワーク運用管理装置が当該情報を第１の無線局や第２の無線局へ送信し、第２の無線局が第２のセルの最適化を行ったり、第１の無線局が自己回復動作の実行を行ったりする。
【００２４】
ａ２）「カバレッジ問題の可能性を示す情報」の利用方法は、基本的にはカバレッジ問題の発生を示す情報と同様であっても良いし、或は、第２の無線局やネットワーク運用管理装置が、当該カバレッジ問題の可能性を示す情報を所定回数受信した場合に初めて第２の無線局が第２のセルの最適化を行ったり、第１の無線局が自己回復動作の実行を行ったりしても良い。
【００２５】
ａ３）「カバレッジ問題の有無の確認を依頼する情報」の利用方法としては、例えば第２の無線局が第１の無線局やネットワーク運用管理装置に当該情報を送信し、第１の無線局が第１のセルにおける無線端末からの測定報告や通信統計品質（ＫＰＩ：Key Performance Indicator）を基にカバレッジに問題が無いか否かの確認を行ったり、ネットワーク運用管理装置が第１の無線局からの測定報告や第１の無線局（の第１のセル）におけるＫＰＩを基に第１のセルに問題が無いか否かの確認を行ったりする。或は、第１の無線局が当該情報をネットワーク運用管理装置へ送信し、ネットワーク運用管理装置が第１の無線局からの測定報告や第１の無線局（の第１のセル）におけるＫＰＩを基に、第１の無線局における異常の有無の確認を行ったりする。ネットワーク運用管理装置が、第１のセルのカバレッジに問題がある（又は問題がある可能性がある）、或は、第１の無線局に異常がある（又は異常の可能性がある）と判定した場合には、第１の無線局に自己回復動作の実行の指示を行うことも考えられる。尚、第２の無線局が、第１の無線局の第１のセルにおけるカバレッジ問題の有無の確認依頼は、第２のセルにおける無線端末の測定情報を基に送信のトリガがかかることが想定される。例えば、第２のセルにおいて、第１のセルの信号の受信電力や受信品質が所定期間に所定量以上低下した場合、或は、第１のセルの信号を検出する無線端末が所定数又は所定割合未満となった場合、などが考えられる。
【００２６】
ａ４）「カバレッジ問題を疑う情報」の利用方法は、基本的にはカバレッジ問題の有無の確認を依頼する情報と同様であっても良いし、或は、第１の無線局やネットワーク運用管理装置が、当該カバレッジ問題を疑う情報を所定回数受信した場合に初めて第１の無線局やネットワーク運用管理装置がカバレッジ問題の有無の確認を行っても良い。
【００２７】
ａ５）「カバレッジ問題が解決したことを示す情報」の利用方法としては、例えば第１の無線局が自己回復動作を行って異常を解消したり、カバレッジなどの最適化を行ってカバレッジ問題を解消したりした後、第２の無線局やネットワーク運用管理装置へ送信しても良いし、ネットワーク運用管理装置が、第１の無線局のカバレッジ問題の解消を判断した後、当該情報を第２の無線局に送信しても良い。或は、第１の無線局やネットワーク運用管理装置が第１のセルのカバレッジ問題の有無の判定において、問題が無いと判定した場合に、当該情報を第２の無線局やネットワーク運用管理装置に送信するようにしても良い。
【００２８】
さらに、「セルアウテージ情報」は、
ａ６）セル又は無線局の識別子、
ａ７）無線局の位置情報、
ａ８）セルアウテージ情報を送信する側の実行予定の処理の情報（実行情報）、
ａ９）セルアウテージ情報を受信した側に要求する処理の情報（要求情報）、
なども含むようにしても良い。
【００２９】
ａ６）「セル又は無線局の識別子」は、例えばセルIdentity(ID)や無線局ＩＤが考えられる。
【００３０】
ａ７）「無線局の位置情報」は、例えばGPS（Global Positioning System）などの位置情報取得サービスで取得した位置情報が考えられる。無線局の位置情報を通知する（又は交換する）ことで、どの無線局が影響を受けているか、或は、どの無線局に影響を与えそうか、などを考慮することができる。
【００３１】
ａ８）「実行情報」は、当該セルアウテージ情報を送信する無線局又はネットワーク運用管理装置が（対象となるセルにおいて）行う予定の処理を示す情報で、例えばカバレッジ最適化、カバレッジ最適化の実行指示、自己回復動作（例えば、再起動）、などを行うことを示す情報が考えられる。
【００３２】
ａ９）「要求情報」は、当該セルアウテージ情報を送信する無線局又はネットワーク運用管理装置に実行を要求する（又は依頼する、期待する）処理を示す情報で、例えばカバレッジ最適化、自己回復動作、などを行うことを要求する（又は依頼する、期待する）ことを示す情報が考えられる。
【００３３】
ｂ）「無線障害情報」としては、例えば、
ｂ１）無線信号の送受信端（Radio Frequency：ＲＦ部）の故障を示す情報、
ｂ２）無線信号の送受信端（ＲＦ部）の故障の疑いを示す情報、
ｂ３）無線信号の送信部の故障を示す情報、
ｂ４）無線信号の受信部の故障を示す情報、
などが考えられる。
【００３４】
ｂ１）「無線信号の送受信端（ＲＦ部）の故障を示す情報」の利用方法としては、例えば第１の無線局が自身のＲＦ部の故障を検出したことを第２の無線局やネットワーク運用管理装置へ通知したり、ネットワーク運用管理装置が第１の無線局におけるＲＦ部の故障を検出したことを第１の無線局や第２の無線局に通知したりする。第２の無線局が当該通知を受けた場合、ＲＦ部が故障する以前の第１の無線局の第１のセルのカバレッジをカバーするように第２のセルのカバレッジを拡大する、又は第１のセルを隣接セルリストから削除する、などの処理を行う。ネットワーク運用管理装置が当該通知を受けた場合、第１の無線局に自己回復動作（例えば装置の再起動）の実行指示を行う、又はシステムアラームを上げる、などの処理を行う。
【００３５】
ｂ２）「無線信号の送受信端（ＲＦ部）の故障の疑いを示す情報」の利用方法は、無線信号のＲＦ部の故障を示す情報と同様であっても良いし、或は、当該ＲＦ部の故障の疑いを示す情報を所定回数通知された場合に初めて、第２の無線局がパイロット信号（参照信号とも呼ぶ）の送信電力を増大やアンテナチルト角の低減（つまりアップチルト）によりカバレッジ拡大を行ったり、ネットワーク運用管理装置が第１の無線局に自己回復動作の実行の指示を行ったり、システムアラームを上げるなどの処理を行ったりしても良い。
【００３６】
ｂ３）、ｂ４）「無線信号の送信部の故障を示す情報」や「受信部の故障を示す情報」の利用方法も、無線信号のＲＦ部の故障を示す情報と同様である。
【００３７】
ｃ）「セル間干渉情報」としては、例えば、
・第１のセルと第２のセルの干渉度合いを示す情報、
・第１のセルにおける第２のセルの信号の干渉を示す情報（第１の干渉情報）、
・第２のセルにおける第１のセルの信号の干渉を示す情報（第２の干渉情報）、
などが考えられる。
【００３８】
「第１のセルと第２のセルの干渉度合いを示す情報」は、例えば第１のセルにおける第２のセルの信号（例えば下りリンクの既知信号）の受信電力や受信品質と、第２のセルにおける第１のセルの信号の受信電力や受信品質との差や比、などを示す情報である。
【００３９】
「干渉度合いを示す情報」や「第１の干渉情報」の利用方法としては、例えば第１の無線局が所定値以上の干渉を受けている第２のセルを管理する第２の無線局やネットワーク運用管理装置に当該情報を通知したり、第１の無線局が第２のセルの信号の干渉が所定量以上変化した場合に第２の無線局やネットワーク運用管理装置に当該情報を通知したりする。或は、当該情報をセルアウテージ情報や無線障害情報を通知すると共に通知しても良い。当該情報を受信した第２の無線局やネットワーク運用管理装置は、例えば第２のセルや第１のセルのカバレッジ最適化やモビリティ最適化（例えば、ハンドオーバ関連パラメータの調整）を行う。
【００４０】
「干渉度合いを示す情報」や「第２の干渉情報」の利用方法としては、例えば第２の無線局が第２のセルにおいて第１のセルの信号から所定値以上の干渉を受けている場合、或は、第１のセルの信号からの干渉が所定量以上変化した場合に、第１の無線局やネットワーク運用管理装置に当該情報を通知したりする。当該情報を受信した第１の無線局やネットワーク運用管理装置は、第１のセルのカバレッジ最適化やモビリティ最適化を行う。
【００４１】
以上に示したアラーム情報を、第１の無線局、第２の無線局、ネットワーク運用管理装置の間で適宜通信することで、第１の無線局（の第１のセル）において障害が発生した場合の周辺の第２の無線局（の第２のセル）への影響を軽減したり、第１の無線局（の第１のセル）における障害の検出を補助し、当該異常の検出或は当該異常からの回復を迅速に行ったりすることができる。尚、第１の無線局と第２の無線局がそれぞれ異なるネットワーク運用管理装置に管理されている（接続されている）場合、それらネットワーク運用管理装置間で上述の情報を通信する構成にしても良い。
【００４２】
一例として、上述したセル縮退の例を挙げれば、ある無線局のセルが障害により縮退した場合、本実施形態によれば周辺にある無線局はセルの縮退をアラーム情報により知ることができる。したがって、周辺の無線局は、障害が発生した無線局のセルにより元々カバーされていたエリアの一部または全部を補完するように自局のセルを制御することができ、不感地の発生を回避できる。その他のアラーム情報でも同様に、周辺無線局が適切なセル制御を実行することで、無線局の障害に起因するシステム全体の特性の劣化を抑制することが可能となる。
【００４３】
なお、アラーム情報の主な通信形態としては、
１）第１の無線局がアラーム情報を生成し、第２の無線局、又は、ネットワーク運用管理装置に送信する場合、
２）ネットワーク運用管理装置がアラーム情報を生成し、第１の無線局、第２の無線局、他のネットワーク運用管理装置、のいずれかに送信する場合、
３）第２の無線局がアラーム情報を生成し、第１の無線局、他の第２の無線局（第３の無線局と考えてもよい）、又は、ネットワーク運用管理装置に送信する場合、
などが考えられるが、本発明はその他の形態においても適用可能である。
【００４４】
２．システム構成
図２に示すように、本発明の実施形態が適用される無線通信システムとして、セル１０ａおよびセル２０ａをそれぞれ管理する無線局１０および無線局２０と、無線局１０および無線局２０を制御あるいは管理するネットワーク運用管理装置３０と、から構成されているシステムを考える。セル１０ａとセル２０ａとは互いに影響を及ぼしうる程度の近傍に配置されていればよく、必ずしも互いのエッジが接している必要はない。無線端末４０は無線局１０および／または無線局２０との間で無線通信可能である。
【００４５】
図２における各無線局は、１つのセルを直接制御する無線基地局だけでなく、複数の無線基地局（従って複数のセル）を制御あるいは管理する上位局を含んでもよい。たとえば、無線局として、無線基地局や基地局制御局などが考えられる。またネットワーク運用管理装置３０としては、基地局制御局、ＳＯＮ（Self Organizing Network）サーバ、コアネットワーク装置などが考えられる。無線局１０と無線局２０とは上位ネットワーク装置を介して互いに通信可能に接続されてもよいが、より高速のインタフェースで直接接続されてもよい。ここで、高速とは物理的に他のインタフェースよりも高速な回線であってもよいし、処理が簡易又は通信周期が短い等の理由により制御遅延が小さいという意味での高速であってもよい。無線局が、無線局間のインタフェースを介して、ネットワーク最適化に関する情報を通知することで、上位ネットワーク装置を介して通知する場合と比べて、障害が発生した場合のシステムの特性劣化の回避効果が高まる。障害が発生した場合、情報の通知に要する時間が長くなる程、特性劣化が進行する。よって、無線局が、無線局間の高速インタフェースを介して情報を通知することで、特性劣化の回避効果が大きくなる。
【００４６】
以下、本発明の実施形態による無線局、ネットワーク運用管理装置および無線端末の構成について説明する。なお、第１実施形態と第２実施形態とは、無線局およびネットワーク運用管理装置の各参照番号にそれぞれ「−１」および「−２」を付加して区別するものとする。
【００４７】
３．第１実施形態
本発明の第１実施形態によれば、ネットワーク運用管理装置３０−１がある無線局の障害を検知し、周辺の無線局へアラーム情報を通知する。以下、図３を参照しながら、本実施形態による無線局１０−１および２０−１とネットワーク運用管理装置３０−１の機能的構成を説明する。
【００４８】
３．１）構成
図３において、無線局１０−１は、無線端末４０から無線信号を受信する無線受信器１１と、受信信号を復調する復調部１２と、復調した情報や制御情報を上位ネットワークや他の無線局へ送信する送信部１３と、上位ネットワークあるいは他の無線局からの信号を受信する受信部１４と、上位ネットワークから受信した信号を基に制御を行う制御部１５と、無線端末４０へ送信するデータや制御情報から送信信号を生成する信号生成部１６と、無線端末４０へ無線信号を送信する無線送信器１７と、を有する。そのほかに、制御部１５はネットワーク運用管理装置３０−１あるいは他の無線局から受信したアラーム情報に従って自局のセル制御を行うことができる。また、上述したように、制御部１５は自局のパフォーマンス監視を行い、その監視結果（例えば、自局でのサービス品質の測定結果やサービス品質に関する情報であるネットワーク測定情報）をネットワーク運用管理装置３０へ送信部１３を通して定期的に報告する機能を有するものとする。なお、無線局２０も基本的に同じ機能構成を有する。
【００４９】
ネットワーク運用管理装置３０−１は、無線局や上位ネットワークからの信号を受信する受信部３１と、受信信号に含まれる情報（例えば、無線局によるネットワーク測定情報）を保存したり通信統計品質（ＫＰＩ：Key Performance Indicator）を算出したりするネットワーク監視部３２と、ネットワーク測定情報やＫＰＩの情報を基に無線局における障害発生を検出しアラーム情報の送信制御を行う障害検出部３３と、無線局やその上位ネットワークにおけるネットワーク最適化を制御する最適化制御部３４と、無線局やその上位ネットワークへ最適化の指示などの信号を送信する送信部３５と、を有する。
【００５０】
なお、無線端末４０は、無線局（例えば無線基地局）からの無線信号を受信する無線受信器４１と、当該無線信号を復調する復調部４２と、復調結果を基に制御を行う制御部４３と、受信信号に対して測定を行う測定部４４と、データや制御情報から信号を生成する信号生成部４５と、無線局へ信号を送信する無線送信器４６とを有する。
【００５１】
３．２）動作
図４に示すように、各無線局１０−１、２０−１の制御部１５は、自局でのサービス品質の測定結果やサービス品質に関する情報を含むネットワーク測定情報を送信部１３からネットワーク運用管理装置３０−１へ定期的に報告している（動作１００）。ある時点で無線局１０に何らかの障害１０１が発生すると、無線局１０の制御部１５は当該障害を反映したネットワーク測定情報を通常の周期でネットワーク運用管理装置３０−１へ報告する（動作１０２）。
【００５２】
各無線局から受信部３１を通してネットワーク測定情報を受信すると、ネットワーク運用管理装置３０−１の障害検出部３３は、受信したネットワーク測定情報から無線局１０−１の障害を検出する（動作１０３）。障害検出部３３が無線局１０−１の障害を検出すると、最適化制御部３４は無線局１０−１に対して自己復旧起動指示を送信部３５から送信し（動作１０４）、障害検出部３３は無線局１０−１の周辺ある無線局２０−１に対してアラーム情報を送信する（動作１０５）。
【００５３】
４．第２実施形態
本発明の第２実施形態によれば、無線局が自局あるいは他局の障害を検知し、当該障害が生じた無線局の周辺にある無線局へアラーム情報を通知する。以下、図５を参照しながら、本実施形態による無線局１０−２および２０−２とネットワーク運用管理装置３０−２の機能的構成を説明する。
【００５４】
４．１）構成
図５において、無線局１０−２は、無線端末４０からの信号の復調結果や通信統計品質（ＫＰＩ）を基に障害の発生を検出する障害発生部１８を設けた以外は、図３に示す第１実施形態の無線局１０−１と基本的には同じ構成であるから、同一の参照番号を付して説明は省略する。また、ネットワーク運用管理装置３０−２は、図３に示す第１実施形態のネットワーク運用管理装置３０−１から障害発生部３３を除いた以外は同じ構成であるから、同一の参照番号を付して説明は省略する。
【００５５】
４．２）動作
（動作例１）
図６に示すように、無線局１０−２に何らかの障害２００が発生すると、障害発生部１８は復調部１２の復調結果や通信統計品質（ＫＰＩ）を基に障害の発生を検出し（動作２０１）、アラーム情報を生成して送信部１３からネットワーク運用管理装置３０−２へ送信する（動作２０２）。ネットワーク運用管理装置３０−２のネットワーク監視部３２は受信したアラーム情報を無線局１０−２の周辺にある無線局２０−２へ転送し（動作２０３）、最適化制御部３４は無線局１０−２に対して自己復旧起動指示を送信部３５から送信する（動作２０４）。
【００５６】
（動作例２）
図７に示すように、無線局１０−２に何らかの障害２００が発生すると、障害発生部１８は復調部１２の復調結果や通信統計品質（ＫＰＩ）を基に障害の発生を検出し（動作２０１）、アラーム情報を生成して送信部１３から周辺の無線局２０−２およびネットワーク運用管理装置３０−２へ送信する（動作２０２ａ）。ネットワーク運用管理装置３０−２の最適化制御部３４は、アラーム情報を受信すると、無線局１０−２に対して自己復旧起動指示を送信部３５から送信する（動作２０４）。
【００５７】
（動作例３）
図８に示すように、無線局１０−２に何らかの障害３００が発生すると、当該無線局１０−２の周辺にある無線局２０−２の障害発生部１８は、復調部１２の復調結果や通信統計品質（ＫＰＩ）を基に、無線局１０−２での障害発生の疑いを検出する（動作３０１）。無線局２０−２の障害発生部１８は、無線局１０−２での障害発生の疑いを示すアラーム情報を生成して送信部１３から無線局１０−２へ送信する（動作３０２）。アラーム情報を受け取った無線局１０−２は、当該アラーム情報をネットワーク運用管理装置３０−２へ送信し（動作３０３）、それに応じてネットワーク運用管理装置３０−２の最適化制御部３４は、当該無線局１０−２に対して自己復旧起動指示を送信する（動作３０４）。尚、アラーム情報が「障害発生の疑い」を示す情報の代りに、「障害発生」を示す情報でも良い。
【００５８】
（動作例４）
図９に示すように、無線局１０−２に何らかの障害３００が発生し、それを無線局５０の障害発生部１８が復調部１２の復調結果や通信統計品質（ＫＰＩ）を基に、無線局１０−２での障害発生の疑いを検出すると（動作３０１）、無線局５０の障害発生部１８は無線局１０−２での障害発生の疑いを示すアラーム情報を生成して送信部１３から無線局１０−２の周辺無線局２０−２へ送信する（動作３０２）。アラーム情報を受け取った無線局２０−２は、当該アラーム情報をネットワーク運用管理装置３０−２へ送信し（動作３０３ａ）、それに応じてネットワーク運用管理装置３０−２の最適化制御部３４は当該無線局１０−２に対して自己復旧起動指示を送信する（動作３０４）。尚、アラーム情報が「障害発生の疑い」を示す情報の代りに、「障害発生」を示す情報でも良い。
【００５９】
５．効果
上述した第１および第２実施形態によれば、ある無線局で障害が発生した場合、その周辺無線局がアラーム情報を受け取ることで、隣接無線局での障害の発生を知ることができる。したがって、周辺無線局はアラーム情報に応じた適切な制御を行うことが可能となり、システム全体としての特性劣化を抑制することができる。
【００６０】
６．適用例
以下、上述した実施形態を３ＧＰＰ  ＬＴＥ（Long Term Evolution）の無線通信システムに適用した実施例について説明する。
【００６１】
図１０に示すように、無線通信システムは、セル（ｃｅｌｌ）１１０ａ、１２０ａ、１５０ａおよび１６０ａをそれぞれ管理する無線基地局（ｅＮＢ）１１０、１２０、１５０および１６０と、無線基地局１１０および１２０を管理するネットワーク運用管理装置（O&M又はSON server）１３０Ａと、無線基地局１５０および１６０を管理するネットワーク運用管理装置１３０Ｂと、セル（ｃｅｌｌ）１１０ａ、１２０ａ、１５０ａおよび１６０ａのいずれかの中に位置することで対応する無線基地局と通信可能な無線端末（ＵＥ）１４０と、から構成されるものとする。ただし、セル１６０ａはセル１１０ａに包摂されているものとする。
【００６２】
ここで、無線基地局間は直接インタフェース（Ｘ２と呼ぶ）でお互いに接続されているものとする。なお、図示されていないが、無線基地局やネットワーク運用管理装置は、コアネットワーク（Evolved Packet Core: EPC）と接続され、Ｘ２インタフェースが確立されていない無線基地局間はコアネットワーク（ＥＰＣ）とのインタフェース（Ｓ１と呼ぶ）を介して通信を行うことができる。ＥＰＣは、さらに無線端末の移動管理装置（Mobility Management Entity: MME）とゲートウェイ（Serving ゲートウェイ: S-GW）などに分類される。
【００６３】
図１０に示すシステムにおいて、ある無線基地局（第１の無線基地局）で障害が発生した場合、当該障害を検知した無線基地局あるいはネットワーク運用管理装置が当該障害に関するアラーム情報を生成する。そして、当該アラーム情報は、第１の無線基地局、その周辺の無線基地局（第２の無線基地局）、およびネットワーク運用管理装置１３０Ａまたは１３０Ｂのうち少なくとも２つの間で通信される。当該アラーム情報を受けた無線基地局あるいはネットワーク運用管理装置はネットワーク最適化を行ったり、第１の無線基地局が当該障害への対策として予め規定した自己回復動作（例えば装置の再起動）を行ったり、第１の無線基地局に対して自己回復動作の実行の指示を行ったりする。
【００６４】
ここで、ＬＴＥのシステムにおいて、Ｘ２インタフェースを介して障害に関するアラーム情報を通信するメッセージとしては、例えば、Ｘ２インタフェース確立時（X2 Setup）のメッセージ（X2 SETUP REQUEST、X2 SETUP RESPONSE）、無線基地局の設定更新時（eNB Configuration Update）のメッセージ（ENB CONFIGURATION UPDATE、ENB CONFIGURATION UPDATE ACKNOWLEDGE）、隣接無線基地局のセルの起動要求時（Cell Activation）のメッセージ（CELL ACTIVATION REQUEST、CELL ACTIVATION RESPONSE）、負荷情報の通知時（Load Indication）のメッセージ（LOAD INFORMATION）、モビリティ関連のパラメータの設定変更（Mobility Settings Change）に関するメッセージ（MOBILITY CHANGE REQUEST、MOBILITY CHANGE ACKNOWLEDGE）、リソース状況報告時（Resource Status Reporting Initiation、Resource Status Reporting）のメッセージ（RESOURCE STATUS REQUEST、RESOURCE STATUS RESPONSE、RESOURCE STATUS UPDATE）、などが考えられる。しかし、これらに限定はされず、新たにメッセージを規定しても良いことは言うまでもない。
【００６５】
また、アラーム情報としては、例えば、
・第１の無線基地局のセルにおけるカバレッジ問題に関連するセルアウテージ情報（Cell Outage Related Information）、
・第１の無線基地局の無線信号制御における障害に関連する無線障害情報（Radio Failure Related Information）、
・第１の無線基地局のセルと第２の無線基地局のセルとの間の干渉に関連するセル間干渉情報（Inter Cell Interference(ICI) Related Information）、
などが考えられる。
【００６６】
一方、セルアウテージ情報としては、例えば、
・カバレッジ問題の発生を示す情報（Cell Outage Notification）、
・カバレッジ問題の可能性を示す情報（Potential Cell Outage Notification）、
・カバレッジ問題の有無の確認を依頼する情報（Cell Outage Check Request）、
・カバレッジ問題を疑う情報（Cell Outage Suspicion Information）、
・カバレッジ問題が解決したことを示す情報（Cell Outage Recovery Information）
などが考えられる。
【００６７】
さらに、セルアウテージ情報は、
・セルの識別子（Physical Cell Identity: PCI、あるいはEUTRAN Cell Global Identity: CGI）又は無線基地局の識別子（eNB ID）、
・無線基地局の位置情報、
・セルアウテージ情報を送信する側の実行予定の処理の情報（実行情報）、
・セルアウテージ情報を受信した側に要求する処理の情報（要求情報）、
なども含むようにしても良い。
【００６８】
以上に示した各情報を、第１の無線基地局、その周辺にある第２の無線基地局およびネットワーク運用管理装置１３０Ａまたは１３０Ｂの間で適宜通信することで、第１の無線基地局（のセル）において障害が発生した場合、その周辺の第２の無線基地局（のセル）への影響を軽減したり、第１の無線基地局（のセル）における障害の検出を補助し、当該障害検出あるいは当該障害からの回復を迅速に行ったりすることができる。
【００６９】
図１０に示す無線通信システムにおいて、障害が発生した第１の無線基地局を無線基地局１１０とすれば、その周辺の第２の無線基地局は無線基地局１２０，１５０および１６０である。この場合、障害が発生している無線基地局１１０とその周辺局の一つである無線基地局１２０とは同じネットワーク運用管理装置１３０Ａにより管理され、その他の周辺局である無線基地局１５０および１６０は別のネットワーク運用管理装置１３０Ｂにより管理されている。このように異なるネットワーク運用管理装置１３０Ａおよび１３０Ｂに管理されている（接続されている）場合であれば、それらネットワーク運用管理装置１３０Ａおよび１３０Ｂの間で上述したアラーム情報を通信する構成にしても良い。以下、無線基地局をｅＮＢと、ネットワーク運用管理装置をＯ＆Ｍとそれぞれ略記し、本発明の実施例について図面を参照しながら詳細に説明する。
【００７０】
６．１）第１実施例
本発明の第１実施例による無線通信システムの動作シーケンスでは、Ｏ＆Ｍ１３０ＡがｅＮＢ１１０における障害（例えば、カバレッジ縮退など）を検出し、ｅＮＢ１１０に自己回復動作（例えば、再起動）を指示するものとする。
【００７１】
図１１において、まずｅＮＢ１１０は、ネットワーク性能監視（Performance Monitoring: PM）のために、セル１１０ａにおけるＵＥ１４０による端末測定報告（UE Measurement Report）、ネットワーク性能に関連するサービス品質の測定結果、サービス品質に関する情報（例えば、ＫＰＩ）などをネットワーク測定情報としてＯ＆Ｍ１３０Ａに報告している（動作４００；Measurement Reporting for PM）。同様に、ｅＮＢ１２０もセル１２０ａにおけるＵＥによる端末測定報告や所定のＫＰＩなどをＯ＆Ｍ１３０Ａに報告している。
【００７２】
ある時点において、ｅＮＢ１１０（あるいはセル１１０ａ）において障害１０１が発生したものとする。尚、ｅＮＢ１１０は、Ｏ＆Ｍ１３０Ａとの通信に用いる送受信部が正常である限り、Ｏ＆Ｍ１３０Ａへのネットワーク測定情報の報告を継続する（動作４０２）。
【００７３】
Ｏ＆Ｍ１３０Ａは、ネットワーク測定情報を基にｅＮＢ１１０（あるいはセル１１０ａ）における障害を検出する（動作４０３；Problem detection）。この障害発生を検出すると、Ｏ＆Ｍ１３０Ａは、ｅＮＢ１１０に対して所定の自己回復動作の実行を指示し（動作４０４；Indication of self recovery activation）、ｅＮＢ１１０は自己回復動作として、例えばセル１１０ａに関する装置の再起動を行う（動作４０６；Self recovery）。一方、Ｏ＆Ｍ１３０Ａは、ｅＮＢ１１０のセル１１０ａの周辺にあるセル１２０ａを管理するｅＮＢ１２０へ、「アラーム情報」として、セル１１０ａの「カバレッジ問題の発生を示す情報」を通知する（動作４０５；Alarm information(Cell Outage Notification)）。図示していないが、例えば、ｅＮＢ１２０は当該アラーム情報を受信した後、セル１１０ａの元々のカバレッジを補償するために送信電力の増加やアンテナチルト角の低減（アップチルト）によりセル１２０ａのカバレッジ拡大を行う。
【００７４】
ｅＮＢ１１０は、自己回復完了後、Ｏ＆Ｍ１３０Ａに当該完了を報告する（動作１０７；Indication of self recovery completion）。Ｏ＆Ｍ１３０Ａは、当該報告を受けると、ｅＮＢ１２０へセル１１０ａにおけるカバレッジ問題が解決したことを示す情報を通知する（動作１０８；Alarm information(Cell Outage Recovery Notification)）。ｅＮＢ１２０は、例えば送信電力の低減やアンテナチルト角の増加（ダウンチルト）により、セル１２０ａのカバレッジを拡大前の状態へと戻す制御を行う。
【００７５】
以上の動作により、ｅＮＢ１１０のセル１１０ａにおいてカバレッジ問題などの障害が発生した場合でも、当該カバレッジ問題を検出したＯ＆Ｍ１３０Ａが周辺のｅＮＢ１２０へ当該カバレッジ問題の発生を通知することで、セル１１０ａのカバレッジ問題（例えばカバレッジ縮退）による不感地発生に伴うシステム特性の劣化を回避あるいは低減することができる。尚、図示していないが、ｅＮＢ１１０の周辺の他のｅＮＢについても、Ｏ＆Ｍ１３０Ａに接続されている場合にはｅＮＢ１２０と同様の動作が適用できる。
【００７６】
６．２）第２実施例
本発明の第２実施例による無線通信システムの動作シーケンスでは、ｅＮＢ１１０における障害（例えば、カバレッジ縮退など）をｅＮＢ１１０自身が検出し、アラーム情報を他のｅＮＢやＯ＆Ｍ１３０Ａに通知するものとする。
【００７７】
図１２において、ｅＮＢ１１０における障害５００が発生し、ｅＮＢ１１０自身が障害５００の発生を検出する（動作５０１；Cell outage detection in eNB10a/cell10ａ）。
続いて、オプション１として、ｅＮＢ１１０は、Ｏ＆Ｍ１３０Ａにアラーム情報として「カバレッジ問題の発生を示す情報」を通知し（動作５０２；Alarm information(Cell Outage Notification)）、Ｏ＆Ｍ１３０ＡがｅＮＢ１２０へ当該アラーム情報を転送する（動作５０３；Alarm information(Cell Outage Notification)）。このとき、ｅＮＢ１５０はＯ＆Ｍ１３０Ａと直接接続がないのでアラーム情報は転送されない。
【００７８】
他方、オプション２として、ｅＮＢ１１０がｅＮＢ１２０および１５０、Ｏ＆Ｍ１３０Ａへアラーム情報として「カバレッジ問題の発生を示す情報」を通知する（動作５０２ａ；Alarm information(Cell Outage Notification)）。尚、図示していないが、ｅＮＢ１５０はアラーム情報を受信すると、Ｏ＆Ｍ１３０Ｂへ当該アラーム情報を転送するようにしても良い。
【００７９】
以上のオプション１あるいは２によってｅＮＢ１２０にアラーム情報が通知され、Ｏ＆Ｍ１３０ＡがｅＮＢ１１０へ自己回復動作の実行を指示する（動作５０４；Indication of self recovery activation）。この自己回復動作指示により、ｅＮＢ１１０は自己回復動作として、例えばセル１１０ａに関する装置の再起動を行い（動作５０５；Self recovery）、Ｏ＆Ｍ１３０Ａに完了通知を行う（動作５０６；Indication of self recovery completion）。
【００８０】
以上の動作により、ｅＮＢ１１０のセル１１０ａにおいてカバレッジ問題などの異常が発生した場合でも、当該カバレッジ問題を検出したｅＮＢ１１０自身がＯ＆Ｍ１３０Ａや周辺のｅＮＢ１２０あるいはｅＮＢ１５０へ当該カバレッジ問題の発生を通知することができ、セル１１０ａのカバレッジ問題（例えばカバレッジ縮退）による不感地発生に伴うシステム特性の劣化を回避あるいは低減することができる。
【００８１】
６．３）第３実施例
本発明の第３実施例による無線通信システムの動作シーケンスでは、ｅＮＢ１１０における障害（例えば、カバレッジ縮退など）を他のｅＮＢ１６０が検出し、アラーム情報を当該ｅＮＢ１１０や他のｅＮＢ１２０に通知するものとする。
【００８２】
図１３において、ｅＮＢ１１０における障害６００が発生し、ｅＮＢ１１０が管理するセル１１０ａに包含されるセル１６０ａのｅＮＢ１６０がセル１６０ａにおけるＵＥの測定情報を基に、セル１１０ａのカバレッジに問題がある可能性（疑い）を検出する（動作６０１；Cell outage suspicion in eNB110/cell110a）。
【００８３】
続いて、オプション１として、ｅＮＢ１６０は、アラーム情報として「カバレッジ問題の疑いを示す情報」をｅＮＢ１１０へ通知し（動作６０２；Alarm information(Cell Outage Suspicion Indication)）、ｅＮＢ１１０は当該アラーム情報をＯ＆Ｍ１３０Ａへ転送する（動作６０３）。なお、アラーム情報を受信したＯ＆Ｍ１３０Ａが、図１２に示す第２実施例と同様に、ｅＮＢ１１０の周辺にあるｅＮＢ１２０にアラーム情報を転送すればよい。
【００８４】
他方、オプション２として、ｅＮＢ１６０は、アラーム情報としてセル１１０ａの「カバレッジ問題の疑いを示す情報」をｅＮＢ１２０へ通知し（動作６０２ａ；Alarm information(Cell Outage Suspicion Indication)）、ｅＮＢ１２０は当該アラーム情報をＯ＆Ｍ１３０Ａへ転送する（動作６０３ａ）。
【００８５】
オプション１または２によってアラーム情報を受信したＯ＆Ｍ１３０Ａは、Ｏ＆Ｍ１３０ＡがｅＮＢ１１０へ自己回復動作の実行を指示する（動作６０４；Indication of self recovery activation）。この自己回復動作指示により、ｅＮＢ１１０は自己回復動作として、例えばセル１１０ａに関する装置の再起動を行い（動作６０５；Self recovery）、Ｏ＆Ｍ１３０Ａに完了通知を行う（動作６０６；Indication of self recovery completion）。
尚、図示していないが、ｅＮＢ１６０はアラーム情報をＯ＆Ｍ１３０Ｂへも通知するようにしても良い。
【００８６】
以上の動作により、ｅＮＢ１１０のセル１１０ａにおいてカバレッジ問題などの異常が発生した場合でも、当該カバレッジ問題を検出したｅＮＢ１６０が周辺のｅＮＢ１２０へ当該カバレッジ問題の発生を通知することができ、セル１１０ａのカバレッジ問題（例えばカバレッジ縮退）による不感地発生に伴うシステム特性の劣化を回避あるいは低減することができる。
【００８７】
７．他の実施例
上述した各実施例は図１０に示すＬＴＥシステムを想定して説明したが、本発明はさらに、ＬＴＥにおけるホーム無線基地局（Home eNB: HeNB、小規模無線基地局（Femto eNB: FeNB）とも呼ぶ。）にも適用は可能である。この場合、無線基地局（ｅＮＢ）間のＸ２インタフェースや無線基地局（ｅＮＢ）とコアネットワーク（ＥＰＣ）間のＳ１インタフェースの代わりに、ホーム無線基地局（ＨｅＮＢ）間のＸ２インタフェース、ホーム無線基地局（ＨｅＮＢ）とホーム無線基地局ゲートウェイ（ＨｅＮＢ  ＧＷ）間のＳ１インタフェースなどを用いる。
【００８８】
一方、本発明は３ＧＰＰ  ＵＭＴＳ（Universal Mobile Telecommunications System）にも適用可能である。ＵＭＴＳの場合、ＬＴＥにおけるＸ２インタフェースやＳ１インタフェースの代わりに、無線基地局（ｅＮＢ）と基地局制御局（Radio Network Controller: RNC）間のＩｕｂインタフェース、基地局制御局（ＲＮＣ）とコアネットワーク（Core Network: CN）間のＩｕインタフェース、基地局制御局（ＲＮＣ）間のＩｕｒインタフェース、ホーム無線基地局（ＨＮＢ）間のＩｕｒ−ｈインタフェース、ホーム無線基地局（ＨＮＢ）とホーム無線基地局ゲートウェイ（ＨＮＢ  ＧＷ）間のＩｕｈインタフェース、などを用いる。
【００８９】
また、本発明は３ＧＰＰ２  ＣＤＭＡ（Code Division Multiple Access）２０００系（例えば、CDMA １x EV-DO: Evolution Data Only、1xRTT: Single-Carrier Radio Transmission Technology、HRPD: High Rate Packet Data）、ＧＳＭ（Global System for Mobile communications）にも適用可能である。ＣＤＭＡ２０００系の場合、ＬＴＥにおけるＸ２インタフェースやＳ１インタフェースの代わりに、ＬＴＥのコアネットワーク（ＥＰＣ）とＣＤＭＡ１ｘのコアネットワークとのインタフェースであるＳ１０１、Ｓ１０２インタフェースなどを用いたり、ＬＴＥのｅＮＢとＣＤＭＡのＢＳＣ（Base Station Controller）間の直接インタフェースを確立して当該インタフェースを用いたりしても良い。ＧＳＭの場合、Ｉｕｒ−ｇインタフェースを用いる。さらに、本発明は、ＧＳＭ（Global System for Mobile communications）、ＷｉＭＡＸ（Worldwide interoperability for Microwave Access）などにも適用可能である。
【産業上の利用可能性】
【００９０】
本発明はＳＯＮ機能を有する無線通信システム、たとえば３ＧＰＰ  ＬＴＥ、３ＧＰＰ  ＵＭＴＳ、３ＧＰＰ２  ＣＤＭＡ２０００系、ＧＳＭ、ＷｉＭＡＸなどのシステムに適用可能である。
【符号の説明】
【００９１】
１０，２０、５０、６０  無線局、無線基地局
１０ａ，２０ａ，５０ａ，６０ａ  セル
１１  無線受信器
１２  復調部
１３  送信部
１４  受信部
１５  制御部
１６  信号生成部
１７  無線送信器
１８  障害検出部
３０  ネットワーク運用管理装置（Ｏ＆Ｍ／ＳＯＮサーバ）
３１  受信部
３２  ネットワーク監視部
３３  障害検出部
３４  最適化制御部
３５  送信部
【図１】
2013136813.tif 000003
【図２】
2013136813.tif 000004
【図３】
2013136813.tif 000005
【図４】
2013136813.tif 000006
【図５】
2013136813.tif 000007
【図６】
2013136813.tif 000008
【図７】
2013136813.tif 000009
【図８】
2013136813.tif 000010
【図９】
2013136813.tif 000011
【図１０】
2013136813.tif 000012
【図１１】
2013136813.tif 000013
【図１２】
2013136813.tif 000014
【図１３】
2013136813.tif 000015
【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
複数の無線局と前記無線局を管理するネットワーク運用管理装置とを有し、ネットワーク最適化を行う無線通信システムであって、
障害が発生した第１の無線局、当該第１の無線局とは別の第２の無線局および前記ネットワーク運用管理装置の少なくとも１つが、前記障害に関するアラーム情報を送信する、ことを特徴とする無線通信システム。
【請求項２】
前記アラーム情報が、
・前記第１の無線局のセルにおけるカバレッジ問題に関連するセルアウテージ情報、
・前記第１の無線局の無線信号制御における障害に関連する無線障害情報、
・前記第１の無線局のセルと前記第２の無線局のセルとの間の干渉に関連するセル間干渉情報、
のいずれかであることを特徴とする請求項１に記載の無線通信システム。
【請求項３】
前記セルアウテージ情報が、
・カバレッジ問題の発生を示す情報、
・カバレッジ問題の可能性を示す情報、
・カバレッジ問題の有無の確認を依頼する情報、
・カバレッジ問題を疑う情報、
・カバレッジ問題が解決したことを示す情報、
の少なくとも１つを含む請求項２に記載の無線通信システム。
【請求項４】
前記セルアウテージ情報が、
・セル又は無線局の識別子、
・前記第１の無線局の位置情報、
・当該セルアウテージ情報を送信する側の実行予定の処理の情報、
・当該セルアウテージ情報を受信した側に要求する処理の情報、
の少なくとも１つを含むことを特徴とする請求項２または３に記載の無線通信システム。
【請求項５】
前記無線障害情報が、
・無線信号の送受信端（ＲＦ）の故障を示す情報、
・無線信号の送受信端（ＲＦ）の故障の疑いを示す情報、
・無線信号の送信部の故障を示す情報、
・無線信号の受信部の故障を示す情報、
の少なくとも１つを含むことを特徴とする請求項２−４のいずれか１項に記載の無線通信システム。
【請求項６】
前記セル間干渉情報が、
・前記第１のセルと前記第２のセルの干渉度合いを示す情報、
・前記第１のセルにおける前記第２のセルの信号の干渉を示す情報、
・前記第２のセルにおける前記第１のセルの信号の干渉を示す情報、
の少なくとも１つを含むことを特徴とする請求項２−５のいずれか１項に記載の無線通信システム。
【請求項７】
前記ネットワーク運用管理装置が前記障害を検出し、前記アラーム情報を前記第１の無線局、前記第２の無線局、他のネットワーク運用管理装置の少なくとも１つへ通知することを特徴とする請求項２−６のいずれか１項に記載の無線通信システム。
【請求項８】
前記第１の無線局が前記障害を検出し、前記アラーム情報を前記第２の無線局、前記ネットワーク運用管理装置の少なくとも１つへ通知することを特徴とする請求項２−６のいずれか１項に記載の無線通信システム。
【請求項９】
前記障害を検出した第３の無線局が、前記アラーム情報を前記第１の無線局、前記第２の無線局、前記ネットワーク運用管理装置の少なくとも１つへ通知することを特徴とする請求項２−６のいずれか１項に記載の無線通信システム。
【請求項１０】
前記アラーム情報を受けた前記第２の無線局または前記ネットワーク運用管理装置がネットワーク最適化を行うことを特徴とする請求項２−９のいずれか１項に記載の無線通信システム。
【請求項１１】
前記アラーム情報を受けた前記第２の無線局または前記ネットワーク運用管理装置が前記第１の無線局に所定の自己回復動作の実行の指示を行うことを特徴とする請求項２−１０のいずれか１項に記載の無線通信システム。
【請求項１２】
前記無線局が無線基地局、基地局制御局、ネットワーク装置のいずれかであることを特徴とする請求項２−１１のいずれか１項に記載の無線通信システム。
【請求項１３】
複数の無線局からなるネットワークの最適化を行う無線通信システムにおけるネットワーク運用管理装置であって、
障害が発生した第１の無線局、当該第１の無線局とは別の第２の無線局、他のネットワーク運用管理装置の少なくとも１つと、前記障害に関するアラーム情報を通信する通信手段を有することを特徴とするネットワーク運用管理装置。
【請求項１４】
前記第１の無線局における障害を検出する障害検出手段をさらに有する、ことを特徴とする請求項１３に記載のネットワーク運用管理装置。
【請求項１５】
前記通信手段は、前記障害に関するアラーム情報を生成し、
前記第１の無線局、前記第１の無線局とは別の第２の無線局、他のネットワーク運用管理装置の少なくとも１つへ送信する、ことを特徴とする請求項１３または１４に記載のネットワーク運用管理装置。
【請求項１６】
ネットワークの最適化を行う最適化制御手段を更に有することを特徴とする請求項１４または１５に記載のネットワーク運用管理装置。
【請求項１７】
前記アラーム情報が、
・前記第１の無線局のセルにおけるカバレッジ問題に関連するセルアウテージ情報、
・前記第１の無線局の無線信号制御における障害に関連する無線障害情報、
・前記第１の無線局のセルと前記第２の無線局のセルとの間の干渉に関連するセル間干渉情報、
のいずれかであることを特徴とする請求項１３−１６のいずれか１項に記載のネットワーク運用管理装置。
【請求項１８】
複数の無線局と前記無線局を管理するネットワーク運用管理装置とを有しネットワーク最適化を行う無線通信システムにおける無線局であって、
自無線局とは別の第１の無線局における障害の発生、又は当該障害の疑いを検出する障害検出手段と、
前記障害に関するアラーム情報を送信する通信手段と、
を有することを特徴とする無線局。
【請求項１９】
前記通信手段は、前記障害に関するアラーム情報を前記第１の無線局、前記第１の無線局とは別の第２の無線局、前記ネットワーク運用管理装置の少なくとも１つへ送信する、ことを特徴とする請求項１８に記載の無線局。
【請求項２０】
前記アラーム情報が、
・無線局のセルにおけるカバレッジ問題に関連するセルアウテージ情報、
・無線局の無線信号制御における障害に関連する無線障害情報、
・第１の無線局のセルと前記第２の無線局のセルとの間の干渉に関連するセル間干渉情報、
のいずれかであることを特徴とする請求項１８または１９に記載の無線局。
【請求項２１】
複数の無線局と前記無線局を管理するネットワーク運用管理装置とを有しネットワーク最適化を行う無線通信システムにおける無線局であって、
自無線局あるいは自無線局とは別の第１の無線局における障害に関するアラーム情報を受信する通信手段、
を有することを特徴とする無線局。
【請求項２２】
自無線局あるいは前記第１の無線局で障害が発生したことを検出する障害検出手段を更に有し、前記通信手段により前記障害に関するアラーム情報を前記第１の無線局、前記第１の無線局とは別の第２の無線局、前記ネットワーク運用管理装置の少なくとも１つへ送信する、ことを特徴とする請求項２１に記載の無線局。
【請求項２３】
前記アラーム情報が、
・無線局のセルにおけるカバレッジ問題に関連するセルアウテージ情報、
・無線局の無線信号制御における障害に関連する無線障害情報、
・第１の無線局のセルと前記第２の無線局のセルとの間の干渉に関連するセル間干渉情報、
のいずれかであることを特徴とする請求項２１または２２に記載の無線局。
【請求項２４】
前記アラーム情報を受信すると、前記アラーム情報が示す前記障害に応じて自無線局のセルを制御する制御手段を更に有する、ことを特徴とする請求項２１−２３のいずれか１項に記載の無線局。
【請求項２５】
複数の無線局と前記無線局を管理するネットワーク運用管理装置とを有し、ネットワーク最適化を行う無線通信システムにおけるネットワーク修復方法であって、
障害が発生した第１の無線局、当該第１の無線局とは別の第２の無線局、前記ネットワーク運用管理装置の少なくとも１つが、前記障害に関するアラーム情報を送信する、ことを特徴とするネットワーク修復方法。
【請求項２６】
前記アラーム情報が、
・前記第１の無線局のセルにおけるカバレッジ問題に関連するセルアウテージ情報、
・前記第１の無線局の無線信号制御における障害に関連する無線障害情報、
・前記第１の無線局のセルと前記第２の無線局のセルとの間の干渉に関連するセル間干渉情報、
のいずれかであることを特徴とする請求項２５に記載のネットワーク修復方法。
【請求項２７】
前記ネットワーク運用管理装置が前記障害を検出し、前記アラーム情報を前記第１の無線局、前記第２の無線局、他のネットワーク運用管理装置の少なくとも１つへ通知することを特徴とする請求項２５または２６に記載のネットワーク修復方法。
【請求項２８】
前記第１の無線局が前記障害を検出し、前記アラーム情報を前記第２の無線局、前記ネットワーク運用管理装置の少なくとも１つへ通知することを特徴とする請求項２６に記載のネットワーク修復方法。
【請求項２９】
前記障害を第３の無線局が検出し、当該第３の無線局が、前記アラーム情報を前記第１の無線局、前記第２の無線局、前記ネットワーク運用管理装置の少なくとも１つへ通知することを特徴とする請求項２５または２６に記載のネットワーク修復方法。
【請求項３０】
前記アラーム情報を受けた前記第２の無線局または前記ネットワーク運用管理装置が、ネットワーク最適化を行うことを特徴とする請求項２６−２９のいずれか１項に記載のネットワーク修復方法。
【請求項３１】
前記アラーム情報を受けた前記第２の無線局または前記ネットワーク運用管理装置が、前記第１の無線局に所定の自己回復動作の実行の指示を行うことを特徴とする請求項２５−２９のいずれか１項に記載のネットワーク修復方法。
【国際調査報告】
2013136813.tif 000016
2013136813.tif 000017
2013136813.tif 000018
2013136813.tif 000019
2013136813.tif 000020
2013136813.tif 000021
2013136813.tif 000022
2013136813.tif 000023
2013136813.tif 000024